(57)【要約】【課題】マグネットワイヤに直接に圧接によって接続でき、マグネットワイヤの端部の破断面の外部への露出を防止でき、更に、接続作業の作業性を向上させることができる、コネクタを提供する。【解決手段】ホルダー１１には、マグネットワイヤ１００の端部１００ｃが配置される。ホルダーカバー１３は、ホルダー１１の周囲を覆うようにホルダー１１に取り付けられる。ホルダーカバー１３がホルダー１１を収納するようにホルダー１１に押し付けられることで、ホルダーカバー１３がホルダー１１に取り付けられるとともに、コンタクト１２がホルダーカバー１３に押圧されてホルダー１１に挿入され、コンタクト１２のスリット刃２８がエナメル被覆１００ｂを切り破ってマグネットワイヤ１００に食い込んで、コンタクト１２がマグネットワイヤ１００に圧接されて接続される。【選択図】        図１０
2020167058.tif 000002
【特許請求の範囲】
【請求項１】
心線とその周囲のエナメル被覆とを含む電線として構成されたマグネットワイヤに対して接続されるコネクタであって、
前記マグネットワイヤの端部が配置されて保持されるように構成されたホルダーと、
前記エナメル被覆を切り破るスリット刃を有し、前記ホルダーに挿入された状態で前記マグネットワイヤに接続されるコンタクトと、
前記ホルダーの周囲を覆うように当該ホルダーに取り付けられるホルダーカバーと、
を備え、
前記ホルダーカバーが前記ホルダーを収納するように当該ホルダーに押し付けられることで、前記ホルダーカバーが前記ホルダーに取り付けられるとともに、前記コンタクトが前記ホルダーカバーに押圧されて前記ホルダーに挿入され、前記スリット刃が前記エナメル被覆を切り破って前記マグネットワイヤに食い込んで、前記コンタクトが前記マグネットワイヤに圧接されて接続されるように構成されていることを特徴とする、コネクタ。
【請求項２】
請求項１に記載のコネクタであって、
前記ホルダーカバーは、前記ホルダーを収納するように当該ホルダーに押し付けられることで、前記ホルダーに保持された前記マグネットワイヤの端部を折り曲げるように構成されていることを特徴とする、コネクタ。
【請求項３】
請求項１又は請求項２に記載のコネクタであって、
前記ホルダーカバーは、前記ホルダーに挿入された複数の前記コンタクトの間を仕切る仕切り壁を有していることを特徴とする、コネクタ。
【請求項４】
請求項１乃至請求項３のいずれか１項に記載のコネクタであって、
前記ホルダーは、当該ホルダーに挿入された複数の前記コンタクトの間に設けられた壁部を有していることを特徴とする、コネクタ。
【請求項５】
請求項２に記載のコネクタであって、
前記ホルダーカバーは、前記ホルダーの周囲を覆う角筒状の周壁と、前記周壁の内側に配置されて当該周壁と一体に設けられた折り曲げ部と、を有し、
前記折り曲げ部は、前記ホルダーカバーが前記ホルダーを収納するように当該ホルダーに押し付けられる際に、当該ホルダーに保持された前記マグネットワイヤの端部に当接して当該マグネットワイヤの端部を折り曲げるように構成されていることを特徴とする、コネクタ。
【請求項６】
請求項５に記載のコネクタであって、
前記ホルダーカバーは、前記周壁の内側に配置されて当該周壁及び前記折り曲げ部と一体に設けられたコンタクト押圧部を更に有し、
前記コンタクト押圧部は、前記ホルダーカバーが前記ホルダーを収納するように当該ホルダーに押し付けられる際に、前記コンタクトを前記ホルダーに向かって押圧することで前記コンタクトを前記ホルダーに挿入するように構成されていることを特徴とする、コネクタ。
【発明の詳細な説明】
【技術分野】
【０００１】
本発明は、心線とその周囲のエナメル被覆とを含む電線として構成されたマグネットワイヤに対して接続されるコネクタに関する。
【背景技術】
【０００２】
従来より、電動モータ等の電気機器の巻線として、心線とその周囲のエナメル被覆とを含む電線として構成されたマグネットワイヤが用いられている。電動モータ等の電気機器が他の機器に接続される際には、マグネットワイヤに対してコネクタが接続される。このようなマグネットワイヤに接続されるコネクタとして、例えば、特許文献１に開示されたものが知られている。
【０００３】
特許文献１に開示されたコネクタは、マグネットワイヤに対して、心線が樹脂で被覆されて構成された樹脂被覆電線を介して接続される。具体的には、まず、マグネットワイヤの端部においてエナメル被覆が除去され、エナメル被覆が除去されたマグネットワイヤの心線の端部に対して端子金具が圧接される。そして、端子金具におけるマグネットワイヤの心線に圧接された端部とは反対側の端部が、溶接によって樹脂被覆電線の心線に接続される。そして、樹脂被覆電線における端子金具が溶接された端部とは反対側の端部が、コネクタに接続される。これにより、マグネットワイヤとコネクタとが接続される。
【０００４】
特許文献１に開示された構成によると、マグネットワイヤとコネクタとを接続するためには、マグネットワイヤの端部におけるエナメル被覆の除去が必要となる。マグネットワイヤにおけるエナメル被覆の除去作業は、樹脂被覆電線における樹脂被覆の除去作業のように容易ではなく、機械的な切削作業或いは化学的な溶解作業といった困難で煩雑な作業を伴うことになる。また、特許文献１に開示された構成によると、マグネットワイヤとコネクタとを接続するための端子金具及び樹脂被覆電線も必要であり、更に、溶接作業も必要となる。このため、特許文献１に開示された構成によると、マグネットワイヤとコネクタとを接続するためには、困難で煩雑なエナメル被覆の除去作業が生じることに加え、他の電線及び他の部材を介在させることが必要となり、更に、溶接作業も必要となるという問題がある。従って、エナメル被覆の除去作業をすることもなく、マグネットワイヤに直接に接続できるコネクタを実現できることが好ましい。
【０００５】
また、マグネットワイヤに直接にコネクタを接続する形態として、コネクタのコンタクトをマグネットワイヤに直接に圧接することが考えられる。電線に圧接されるコンタクトとして、例えば、特許文献２に開示されたコンタクトが知られている。
【先行技術文献】
【特許文献】
【０００６】
【特許文献１】実開２０１４−４４８８７号公報
【特許文献２】実表平１１−５０１４５２号公報
【発明の概要】
【発明が解決しようとする課題】
【０００７】
特許文献２に開示されたコンタクトをマグネットワイヤの端部に接続する場合、マグネットワイヤの端部における心線の破断面が外部に露出したままの状態となる。このため、マグネットワイヤの端部において外部に露出した心線の破断面において短絡が発生する虞がある。
【０００８】
また、特許文献２に開示されたコンタクトをマグネットワイヤの端部に接続する場合、マグネットワイヤを安定して支持した状態でコンタクトをマグネットワイヤに圧接させるようにコンタクトを操作する必要があり、或いは、コンタクトを安定して支持した状態でコンタクトをマグネットワイヤに圧接させるようにマグネットワイヤを操作する必要があり、作業性の低下を招くことになる。また、コンタクトがマグネットワイヤに圧接された状態では、マグネットワイヤの端部がコンタクトからはみ出した状態となるため、そのはみ出した端部を切断するための切断刃を備えた専用の治具を用いた切断作業も必要となる。従って、特許文献２に開示されたコンタクトをマグネットワイヤに対して圧接によって接続する場合、マグネットワイヤの端部の切断用の切断刃を備えた専用の治具による切断作業が必要となり、作業性の低下を招くことになる。
【０００９】
本発明は、上記実情に鑑みることにより、マグネットワイヤに直接に圧接によって接続することができ、マグネットワイヤの端部の破断面の外部への露出を防止でき、更に、接続作業の作業性を向上させることができる、コネクタを提供することを目的とする。
【課題を解決するための手段】
【００１０】
（１）上記目的を達成するための本発明のある局面に係るコネクタは、心線とその周囲のエナメル被覆とを含む電線として構成されたマグネットワイヤに対して接続されるコネクタに関する。そして、本発明のある局面に係るコネクタは、前記マグネットワイヤの端部が配置されて保持されるように構成されたホルダーと、前記エナメル被覆を切り破るスリット刃を有し、前記ホルダーに挿入された状態で前記マグネットワイヤに接続されるコンタクトと、前記ホルダーの周囲を覆うように当該ホルダーに取り付けられるホルダーカバーと、を備え、前記ホルダーカバーが前記ホルダーを収納するように当該ホルダーに押し付けられることで、前記ホルダーカバーが前記ホルダーに取り付けられるとともに、前記コンタクトが前記ホルダーカバーに押圧されて前記ホルダーに挿入され、前記スリット刃が前記エナメル被覆を切り破って前記マグネットワイヤに食い込んで、前記コンタクトが前記マグネットワイヤに圧接されて接続されるように構成されていることを特徴とする。
【００１１】
この構成によると、ホルダーにマグネットワイヤの端部を保持してコンタクトをホルダーに仮挿入した状態で、ホルダーカバーをホルダーに押し付けることで、コンタクトがホルダーカバーに押圧されてホルダーに挿入される。そして、このようにコンタクトがホルダーに挿入されることで、コンタクトが、そのスリット刃においてマグネットワイヤのエナメル被覆を切り破り、マグネットワイヤに食い込み、コンタクトがマグネットワイヤに圧接されて接続される。このため、上記の構成によると、マグネットワイヤのエナメル被覆を除去する必要もなく、他の電線及びコネクタ以外の他の部材を介在させることもなく、コネクタをマグネットワイヤに直接に圧接によって接続することができる。
【００１２】
また、上記の構成のコネクタによると、ホルダーにマグネットワイヤの端部を保持してコンタクトをホルダーに仮挿入した状態で、ホルダーカバーをホルダーに押し付けることで、ホルダーカバーがホルダーの周囲を覆うようにホルダーに取り付けられ、コンタクトとマグネットワイヤの端部とが接続される。これにより、ホルダーカバーがホルダーに取り付けられてコンタクトとマグネットワイヤの端部とが接続された状態では、コンタクト及びマグネットワイヤの端部がホルダーカバーの内側に配置された状態となる。このため、マグネットワイヤの端部の破断面の外部への露出を防止できる。
【００１３】
また、上記の構成のコネクタによると、ホルダーにマグネットワイヤの端部を保持してコンタクトをホルダーに仮挿入した状態で、ホルダーカバーをホルダーに押し付けて取り付けることで、コンタクトをホルダーに挿入するとともに、コンタクトとマグネットワイヤの端部とを圧接により接続することができる。よって、ホルダーにマグネットワイヤの端部を保持してコンタクトをホルダーに仮挿入した状態で、ホルダーカバーをホルダーに押し付けて取り付ける操作を行うだけで、容易に、コンタクトとマグネットワイヤの端部とを圧接により接続することができる。従って、上記の構成のコネクタによると、接続作業の作業性を向上させることができる。
【００１４】
また、コンタクトとマグネットワイヤの端部とが接続された状態では、マグネットワイヤの端部はホルダーカバーの内側に配置された状態となる。このため、マグネットワイヤの端部がコネクタからはみ出した状態となることがなく、はみ出したマグネットワイヤの端部を切断するための切断刃を備えた専用の治具を用いた切断作業はそもそも不要となる。従って、上記の構成のコネクタによると、マグネットワイヤの端部の切断用の切断刃を備えた専用の治具による切断作業が不要となる点においても、接続作業の作業性の向上を図ることができる。
【００１５】
従って、上記の構成によると、マグネットワイヤに直接に圧接によって接続することができ、マグネットワイヤの端部の破断面の外部への露出を防止でき、更に、接続作業の作業性を向上させることができる、コネクタを提供することができる。
【００１６】
（２）前記ホルダーカバーは、前記ホルダーを収納するように当該ホルダーに押し付けられることで、前記ホルダーに保持された前記マグネットワイヤの端部を折り曲げるように構成されていてもよい。
【００１７】
この構成によると、ホルダーカバーをホルダーに押し付けて取り付けた際に、ホルダーカバーの内側で、ホルダーに保持されたマグネットワイヤの端部が折り曲げられる。このため、ホルダーカバーの内部において、コンタクトに接続されたマグネットワイヤの端部をコンパクトに安定した状態で収納することができる。これにより、コネクタのコンパクト化を図ることができる。また、コンタクトが複数備えられるコネクタの場合であれば、ホルダーカバー内において、マグネットワイヤの端部が安定した状態で収納されるため、短絡が発生してしまうことを、より確実に抑制することができる。即ち、マグネットワイヤの端部が安定した状態で収納されるため、マグネットワイヤの端部の破断面が、そのマグネットワイヤが接続されているコンタクトに隣接するコンタクトに接触してしまい、短絡が発生してしまうことを、より確実に抑制することができる。
【００１８】
（３）前記ホルダーカバーは、前記ホルダーに挿入された複数の前記コンタクトの間を仕切る仕切り壁を有していてもよい。
【００１９】
この構成によると、コネクタがマグネットワイヤに接続された状態では、複数のコンタクトの間が、ホルダーカバーの仕切り壁によって仕切られる。このため、隣接するコンタクト間において、絶縁体の表面に沿った最短距離である沿面距離を、絶縁体であるホルダーカバーの仕切り壁の表面を経由させることでより長く確保することができる。これにより、隣接するコンタクト間における短絡の発生の可能性をより低減し、電気的な接続安定性をより向上させることができる。
【００２０】
（４）前記ホルダーは、当該ホルダーに挿入された複数の前記コンタクトの間に設けられた壁部を有していてもよい。
【００２１】
この構成によると、コネクタがマグネットワイヤに接続された状態では、複数のコンタクトの間が、ホルダーの壁部によって仕切られる。このため、隣接するコンタクト間において、絶縁体の表面に沿った最短距離である沿面距離を、絶縁体であるホルダーの壁部の表面を経由させることでより長く確保することができる。これにより、隣接するコンタクト間における短絡の発生の可能性をより低減し、電気的な接続安定性をより向上させることができる。
【００２２】
（５）前記ホルダーカバーは、前記ホルダーの周囲を覆う角筒状の周壁と、前記周壁の内側に配置されて当該周壁と一体に設けられた折り曲げ部と、を有し、前記折り曲げ部は、前記ホルダーカバーが前記ホルダーを収納するように当該ホルダーに押し付けられる際に、当該ホルダーに保持された前記マグネットワイヤの端部に当接して当該マグネットワイヤの端部を折り曲げるように構成されていてもよい。
【００２３】
この構成によると、マグネットワイヤの端部に当接してその端部を折り曲げる折り曲げ部が、ホルダーの周囲を覆う角筒状の周壁の内側においてその周壁と一体に設けられる。このため、ホルダーカバーをホルダーに押し付けて取り付ける際にマグネットワイヤの端部を折り曲げる構成を、ホルダーカバーの内側に一体の折り曲げ部を設けた簡素な構造で構成することができる。
【００２４】
（６）前記ホルダーカバーは、前記周壁の内側に配置されて当該周壁及び前記折り曲げ部と一体に設けられたコンタクト押圧部を更に有し、前記コンタクト押圧部は、前記ホルダーカバーが前記ホルダーを収納するように当該ホルダーに押し付けられる際に、前記コンタクトを前記ホルダーに向かって押圧することで前記コンタクトを前記ホルダーに挿入するように構成されていてもよい。
【００２５】
この構成によると、コンタクトをホルダーに向かって押圧してコンタクトをホルダーに挿入するコンタクト押圧部が、ホルダーカバーの周壁の内側において周壁及び折り曲げ部と一体に設けられる。このため、ホルダーカバーをホルダーに押し付けて取り付ける際にコンタクトを押圧してホルダーに挿入する構成を、ホルダーカバーの内側に折り曲げ部と一体のコンタクト押圧部を設けた簡素な構造で構成することができる。
【発明の効果】
【００２６】
本発明によると、マグネットワイヤに直接に圧接によって接続することができ、マグネットワイヤの端部の破断面の外部への露出を防止でき、更に、接続作業の作業性を向上させることができる、コネクタを提供することができる。
【図面の簡単な説明】
【００２７】
【図１】図１（Ａ）及び図１（Ｂ）は、本発明の一実施の形態に係るコネクタを示す斜視図である。
【図２】コネクタのホルダーを示す図であって、図２（Ａ）は斜視図であり、図２（Ｂ）は平面図であり、図２（Ｃ）は正面図である。
【図３】コネクタのコンタクトを示す図であって、図３（Ａ）は斜視図であり、図３（Ｂ）は正面図であり、図３（Ｃ）は背面図である。
【図４】コネクタのホルダーカバーを示す図であって、図４（Ａ）は斜視図であり、図４（Ｂ）は背面図である。
【図５】ホルダーカバーを示す図であって、図５（Ａ）は平面図であり、図５（Ｂ）は底面図である。
【図６】マグネットワイヤが接続された状態のコネクタを示す平面図である。
【図７】コネクタの断面図であって、図７（Ａ）は図６のＡ−Ａ線矢視位置での断面図であり、図７（Ｂ）は図６のＢ−Ｂ線矢視位置での断面図である。
【図８】図８（Ａ）はホルダーにマグネットワイヤが保持される前の状態を示す斜視図であり、図８（Ｂ）はホルダーにマグネットワイヤが保持された状態を示す斜視図であり、図８（Ｃ）はホルダーにコンタクトが挿入される前の状態を示す斜視図であり、図８（Ｄ）はホルダーにコンタクトが挿入された状態を示す斜視図である。
【図９】コネクタを断面を含む状態で示す斜視図であって、ホルダーカバーがホルダーに取り付けられる状態を示す図である。
【図１０】コネクタを断面を含む状態で示す斜視図であって、ホルダーカバーがホルダーに取り付けられた状態を示す図である。
【発明を実施するための形態】
【００２８】
以下、本発明を実施するための形態について図面を参照しつつ説明する。尚、本発明は、心線とその周囲のエナメル被覆とを含む電線として構成されたマグネットワイヤに対して接続されるコネクタとして、種々の用途に広く適用することができるものである。
【００２９】
［コネクタの概略］
図１（Ａ）及び図１（Ｂ）は、本発明の一実施の形態に係るコネクタ１を示す斜視図であって、マグネットワイヤ１００とともに示す図である。尚、図１（Ａ）は、コネクタ１においてホルダー１１にホルダーカバー１３が取り付けられる前の状態を示している。図１（Ｂ）は、コネクタ１においてホルダー１１にホルダーカバー１３が取り付けられた状態を示している。また、図１では、コネクタ１とともにコネクタ１に接続される複数のマグネットワイヤ１００のそれぞれの一部を示している。
【００３０】
図１に示すコネクタ１は、マグネットワイヤ１００に接続される電気コネクタとして構成されている。尚、本実施形態では、コネクタ１は、複数のマグネットワイヤ１００に接続されるように構成されている。マグネットワイヤ１００は、電動モータ等の電気機器の巻線として設けられ、導体としての心線１００ａとその周囲の絶縁体としてのエナメル被覆１００ｂとを含む電線として構成される。マグネットワイヤ１００に接続されたコネクタ１は、図示が省略された相手側コネクタに対して接続される。コネクタ１が接続される相手側コネクタは、マグネットワイヤ１００が巻線として用いられている電動モータ等の電気機器が電気的に接続される他の機器に接続されている。コネクタ１と相手側コネクタとが接続されることで、電動モータ等の電気機器が他の機器と接続される。
【００３１】
コネクタ１は、ホルダー１１と、複数のコンタクト１２と、ホルダーカバー１３とを備えて構成されている。尚、本実施形態では、コネクタ１は、３つのコンタクト１２を備えている。また、各コンタクト１２は、導電性を有する金属材料で形成され、ホルダー１１及びホルダーカバー１３は、絶縁性を有する樹脂材料で形成されている。コネクタ１は、ホルダー１１、複数のコンタクト１２、及びホルダーカバー１３が組み立てられた状態で、幅方向Ｘ１、高さ方向Ｘ２、及び厚み方向Ｘ３を有する略直方体状の基本外形を有している。コネクタ１に対しては、複数のマグネットワイヤ１００は、コネクタ１の幅方向Ｘ１に並んだ状態で、接続される。尚、コネクタ１の幅方向Ｘ１、高さ方向Ｘ２、及び厚み方向Ｘ３については、図１（Ｂ）において両端矢印で示している。
【００３２】
［ホルダー］
図２は、コネクタ１のホルダー１１を示す図であって、図２（Ａ）は斜視図であり、図２（Ｂ）は平面図であり、図２（Ｃ）は正面図である。図１及び図２に示すホルダー１１は、マグネットワイヤ１００の端部１００ｃが配置されて保持されるとともに、複数のコンタクト１２が挿入されるように構成されている。そして、ホルダー１１は、マグネットワイヤ１００の端部１００ｃと複数のコンタクト１２とを保持するハウジング部材として設けられている。また、ホルダー１１は、更に、ホルダーカバー１３がホルダー１１を収納するようにホルダー１１に押し付けられることで、ホルダーカバー１３が取り付けられるように構成されている。
【００３３】
また、ホルダー１１は、図２に示すように、幅方向Ｘ１、高さ方向Ｘ２、及び厚み方向Ｘ３を有する略直方体状の基本外形を備えている。ホルダー１１の幅方向Ｘ１、高さ方向Ｘ２、及び厚み方向Ｘ３は、コネクタ１の幅方向Ｘ１、高さ方向Ｘ２、及び厚み方向Ｘ３に対応している。そして、ホルダー１１は、挿入穴２１、壁部２２、ワイヤ端部配置溝２３、ワイヤ折り曲げ端部収納溝２４、係合凸部２５、等を備えて構成されている。
【００３４】
挿入穴２１は、コンタクト１２がホルダー１１に挿入されて保持される穴として設けられている。挿入穴２１は、複数のコンタクト１２に対応して複数設けられている。複数の挿入穴２１は、ホルダー１１の幅方向に沿って並んで配置されており、各挿入穴２１に各コンタクト１２が挿入される。尚、本実施形態では、コネクタ１に備えられる３つのコンタクト１２に対応して、３つの挿入穴２１がホルダー１１に設けられている。
【００３５】
壁部２２は、ホルダー１１の幅方向Ｘ１に並ぶ挿入穴２１の間に設けられた壁部として構成されており、ホルダー１１において、ホルダー１１に挿入された複数のコンタクト１２の間に設けられるように配置されている。壁部２２は、複数のコンタクト１２の間に設けられることで、ホルダー１１において、各コンタクト１２の間を仕切るように設けられている。壁部２２は、本実施形態では、ホルダー１１の幅方向Ｘ１に並ぶ３つの挿入穴２１の間にそれぞれ設けられ、２つ設けられている。
【００３６】
ワイヤ端部配置溝２３は、ホルダー１１に配置されるマグネットワイヤ１００の端部１００ｃが配置されて保持される部分として設けられている。ワイヤ端部配置溝２３は、ホルダー１１の高さ方向Ｘ２の一端側からホルダー１１の高さ方向Ｘ２に沿ってその高さ方向Ｘ２の途中位置まで延びるスリット状の溝として設けられている。
【００３７】
また、ワイヤ端部配置溝２３は、ホルダー１１において、各挿入穴２１に対応して設けられており、各挿入穴２１に一対で対応して設けられている。このため、本実施形態では、ワイヤ端部配置溝２３は、３つの挿入穴２１のそれぞれ対応して一対で設けられているため、合計で６つ設けられている。そして、各挿入穴２１に対応して設けられる一対のワイヤ端部配置溝２３のそれぞれは、各挿入穴２１に対して、ホルダー１１の厚み方向Ｘ３における両側のそれぞれに設けられている。このため、各挿入穴２１に対応する位置でホルダー１１に配置される各マグネットワイヤ１００の端部１００ｃは、挿入穴２１の両側の一対のワイヤ端部配置溝２３に配置されて保持される。これにより、各マグネットワイヤ１００の端部１００ｃは、２つのワイヤ端部配置溝２３によって保持される。
【００３８】
ワイヤ折り曲げ端部収納溝２４は、マグネットワイヤ１００の端部１００ｃにおける折り曲げられた先端部分が収納される溝として設けられている。ホルダー１１にマグネットワイヤ１００の端部１００ｃが配置されるとともにコンタクト１２が挿入された状態でホルダー１１にホルダーカバー１３が取り付けられると、マグネットワイヤ１００の端部１００ｃの先端部分が折り曲げられる。このとき、折り曲げられたマグネットワイヤ１００の端部１００ｃの先端部分が、ワイヤ折り曲げ端部収納溝２４に収納される。
【００３９】
ワイヤ端部折り曲げ溝２４は、ホルダー１１において、各挿入穴２１に対応して設けられており、本実施形態では、３つ設けられている。各ワイヤ端部折り曲げ溝２４は、各挿入穴２１に一対で対応するワイヤ端部配置溝２３の一方に隣接して設けられている。そして、各ワイヤ端部折り曲げ溝２４は、各挿入穴２１に対応するワイヤ端部配置溝２３の一方の端部から、ホルダー１１の高さ方向Ｘ２に沿って延びる溝として設けられている。
【００４０】
係合凸部２５は、ホルダー１１にホルダーカバー１３が取り付けられる際にホルダーカバー１３に係合する凸部として設けられている。係合凸部２５は、ホルダー１１において一対で設けられ、ホルダー１１の幅方向Ｘ１の両側においてそれぞれ突出する突起状に設けられている。係合凸部２５は、ホルダーカバー１３がホルダー１１を収納するようにホルダー１１に押し付けられて取り付けられる際に、ホルダーカバー１３に設けられた係合ロック部３６と係合するように設けられている。ホルダーカバー１３がホルダー１１に取り付けられて係合凸部２５が係合ロック部３６と係合することで、ホルダーカバー１３がホルダー１１にロックされた状態で固定される。
【００４１】
［コンタクト］
図３は、コネクタ１のコンタクト１２を示す図であって、図３（Ａ）は斜視図であり、図３（Ｂ）は正面図であり、図３（Ｃ）は背面図である。コネクタ１においては、同一形状のコンタクト１２が３つ備えられている。尚、図３では、１つのコンタクト１２のみを拡大して示している。図１（Ａ）及び図３に示すコンタクト１２は、マグネットワイヤ１００の端部１００ｃのエナメル被覆１００ｂを切り破るスリット刃２８を有し、ホルダー１１に挿入された状態でマグネットワイヤ１００に接続される端子部材として設けられている。
【００４２】
コンタクト１２は、図３に示すように、一体に形成された本体部２６と相手側接続部２７とを備えて構成されている。また、コンタクト１２は長手方向を有しており、本体部２６と相手側接続部２７とは、コンタクト１２の長手方向に沿って並んで配置されている。本体部２６は、コンタクト１２における長手方向の一方の端部側の部分として設けられ、相手側接続部２７は、コンタクト１２における長手方向の他方の端部側の部分として設けられている。
【００４３】
相手側接続部２７は、コネクタ１が相手側コネクタ（図示省略）に接続される際に相手側コネクタにおける相手側コンタクト（図示省略）に対して接続される部分として設けられている。相手側接続部２７は、長手方向を有する略長方形状で平坦な板状に設けられ、コンタクト１２において本体部２６から片持ち状に延びる部分として設けられている。尚、相手側コネクタの相手側コンタクトは、例えば、板バネ状の接点部を有している。そして、コネクタ１と相手側コネクタとが接続される際には、相手側接続部２７と相手側コンタクトにおける板バネ状の接点部とが接触することで、コンタクト１２と相手側コンタクトとが電気的に接続される。
【００４４】
本体部２６は、コンタクト１２においてホルダー１１の挿入穴２１に挿入される部分として設けられている。そして、本体部２６には、スリット刃２８、被押圧部２９、及び圧入突起３０が設けられている。本体部２６は、ホルダー１１の挿入穴２１に挿入される際には、まず、ホルダー１１のワイヤ端部配置溝２３にマグネットワイヤ１００の端部１００ｃが配置された状態で、挿入穴２１に仮挿入状態で挿入される。この仮挿入状態では、本体部２６は、図１（Ａ）に示すように、その先端側の略半分程度の部分までが挿入穴２１に挿入され、挿入穴２１の途中位置まで挿入された状態となる。そして、本体部２６は、ホルダー１１にホルダーカバー１３が取り付けられる際に、ホルダーカバー１３によって押圧され、挿入穴２１の奥側まで挿入された最終挿入状態となる。最終挿入状態では、本体部２６は、挿入穴２１に圧入されて保持された状態となり、本体部２６の大部分が挿入穴２１に挿入された状態となる。
【００４５】
スリット刃２８は、本体部２６において一対で設けられている。本体部２６に設けられた一対のスリット刃２８は、コンタクト１２がホルダー１１に挿入された状態で、ホルダー１１の厚み方向Ｘ３に並んで配置されるように、本体部２６において設けられている。また、本体部２６に設けられた一対のスリット刃２８のそれぞれは、スリット状の隙間を介して対向して略平行に延びる一対の刃部２８ａを有している。
【００４６】
本体部２６に設けられた各スリット刃２８は、その一対の刃部２８ａによって、マグネットワイヤ１００の端部１００ｃのエナメル被覆１００ｂを切り破り、マグネットワイヤ１００の心線１００ａの部分まで食い込むように構成されている。コンタクト１２は、各スリット刃２８が一対の刃部２８ａによってエナメル被覆１００ｂを切り破って心線１００ａに食い込むことで、マグネットワイヤ１００に圧接されて、マグネットワイヤ１００に対して電気的及び機械的に接続されるように構成されている。
【００４７】
尚、コンタクト１２は、ホルダー１１にホルダーカバー１３が取り付けられる際に、各スリット刃２８がマグネットワイヤ１００に食い込むように構成されている。より具体的には、まず、ホルダー１１にマグネットワイヤ１００の端部１００ｃが配置されてコンタクト１２が仮挿入状態で挿入された状態で、ホルダー１１にホルダーカバー１３が押し付けられるようにして取り付けられる。このとき、本体部２６がホルダーカバー１３に押圧されて、本体部２６が挿入穴２１に奥側まで挿入される。更にこのとき、本体部２６の各スリット刃２８が、一対の刃部２８ａの間にマグネットワイヤ１００の端部１００ｃを挟んだ状態で、その端部１００ｃのエナメル被覆１００ｂを心線１００ａを挟む両側で切り破る。そして、本体部２６が挿入穴２１の奥側まで挿入されるに伴って、スリット刃２８は、マグネットワイヤ１００に対してエナメル被覆１００ｂを切り破りながら変位し、更に、マグネットワイヤ１００の心線１００ａの部分まで食い込む。スリット刃２８がマグネットワイヤ１００に食い込んで心線１００ａにまで圧接された状態となることで、コンタクト１２は、マグネットワイヤ１００に対して電気的及び機械的に接続された状態となる。
【００４８】
また、本体部２６に設けられた一対のスリット刃２８は、コンタクト１２がホルダー１１に挿入された状態で、挿入穴２１に対応する一対のワイヤ端部配置溝２３のそれぞれに近接して配置されるように、本体部２６において設けられている。このため、一対のスリット刃２８のうちの一方が、マグネットワイヤ１００の端部１００ｃに対して、一対のワイヤ端部配置溝２３の一方に支持されている部分の近傍の部分に対して食い込むように設けられている。そして、一対のスリット刃２８のうちの他方が、マグネットワイヤ１００の端部１００ｃに対して、一対のワイヤ端部配置溝２３の他方に支持されている部分の近傍の部分に対して食い込むように設けられている。
【００４９】
被押圧部２９は、ホルダー１１にホルダーカバー１３が取り付けられる際に、ホルダーカバー１３によって押圧される部分として設けられている。ホルダー１１にホルダーカバー１３が押し付けられるようにして取り付けられる際、ホルダーカバー１３が被押圧部２９を押圧することで、コンタクト１２の本体部２６がホルダー１１の挿入穴２１に押し込まれるようにして挿入される。また、被押圧部２９は、本体部２６において、複数設けられている。本実施形態では、被押圧部２９は、本体部２６における一対のスリット刃２８の一方に対応する位置に一対で設けられるとともに、本体部２６における一対のスリット刃２８の他方に対応する位置にも一対で設けられている。このため、本実施形態では、被押圧部２９は、４つ設けられており、本体部２６における相手側接続部２７側の端部の４隅の縁部分に対応する位置に設けられている。
【００５０】
圧入突起３０は、コンタクト１２の本体部２６がホルダー１１の挿入穴２１の奥側まで挿入される際にコンタクト１２が挿入穴２１に圧入されるための突起状の部分として設けられている。圧入突起３０は、本体部２６において、複数設けられている。本実施形態では、圧入突起３０は、本体部２６における一対のスリット刃２８の一方に対応する位置に一対で設けられるとともに、本体部２６における一対のスリット刃２８の他方に対応する位置にも一対で設けられている。このため、本実施形態では、圧入突起３０は、４つ設けられている。また、圧入突起３０は、本体部２６における各スリット刃２８に対応する位置において、スリット刃２８の両側の縁部分に設けられている。また、圧入突起３０は、本体部２６におけるスリット刃２８の両側の縁部分において、本体部２６がホルダー１１の挿入穴２１に挿入される際の先端側の部分と相手側接続部２７側の部分との間の位置に設けられている。本体部２６が挿入穴２１に仮挿入状態で挿入される際には、本体部２６は、圧入突起３０が挿入穴２１の縁部と係止する位置まで、挿入穴２１に挿入される。そして、本体部２６が挿入穴２１の奥側まで挿入される最終挿入状態では、圧入突起３０は、挿入穴２１内に圧入され、挿入穴２１の内壁に係合した状態となる。
【００５１】
［ホルダーカバー］
図４は、コネクタ１のホルダーカバー１３を示す図であって、図４（Ａ）は斜視図であり、図４（Ｂ）は背面図である。また、図５は、ホルダーカバー１３を示す図であって、図５（Ａ）は平面図であり、図５（Ｂ）は底面図である。図６は、マグネットワイヤ１００が接続された状態のコネクタ１を示す平面図である。図７は、コネクタ１の断面図であって、図７（Ａ）は図６のＡ−Ａ線矢視位置での断面図であり、図７（Ｂ）は図６のＢ−Ｂ線矢視位置での断面図である。
【００５２】
図１、図４乃至図７に示すホルダーカバー１３は、ホルダー１１の周囲を覆うようにホルダー１１に取り付けられる部材として設けられている。そして、ホルダーカバー１３は、ホルダー１１を収納するようにホルダー１１に押し付けられることで、ホルダー１１に取り付けられるように構成されている。尚、ホルダーカバー１３がホルダー１１に取り付けられる際には、図１（Ａ）に示すように、ホルダーカバー１３が、矢印Ｄ１で示す方向に沿って移動されてホルダー１１に上方から押し付けられ、図１（Ｂ）に示すように、ホルダーカバー１３がホルダー１１に取り付けられる。また、ホルダーカバー１３は、ホルダー１１にマグネットワイヤ１００の端部１００ｃが配置されているとともにコンタクト１２が仮挿入状態で挿入された状態で、ホルダー１１に押し付けられることで、コンタクト１２を押圧して最終挿入状態までホルダー１１に挿入するように構成されている。更に、ホルダーカバー１３は、ホルダー１１を収納するようにホルダー１１に押し付けられることで、ホルダー１１に保持されたマグネットワイヤ１００の端部１００ｃをホルダーカバー１３内で折り曲げるように構成されている。
【００５３】
また、ホルダーカバー１３は、図４（Ａ）に示すように、幅方向Ｘ１、高さ方向Ｘ２、及び厚み方向Ｘ３を有する略角筒状の基本外形を備えている。ホルダーカバー１３の幅方向Ｘ１、高さ方向Ｘ２、及び厚み方向Ｘ３は、コネクタ１の幅方向Ｘ１、高さ方向Ｘ２、及び厚み方向Ｘ３に対応している。そして、ホルダーカバー１３は、周壁３１、内部当接壁３２、仕切り壁３３、折り曲げ部３４、コンタクト押圧部３５、係合ロック部３６、等を備えて構成されている。
【００５４】
周壁３１は、ホルダー１１の周囲を覆う角筒状の部分として設けられている。尚、本実施形態では、周壁３１は、幅方向Ｘ１の両側の側面において、段状に拡幅した部分である拡幅部３１ａを有している。尚、周壁３１の両側面における拡幅部３１ａは、高さ方向Ｘ２における一方の端部側に設けられている。ホルダーカバー１３がホルダー１１に取り付けられる際には、ホルダーカバー１３は、周壁３１における拡幅部３１ａが設けられている側の端部から、ホルダー１１に対して取り付けられる。
【００５５】
また、周壁３１は、高さ方向Ｘ２における両端部であって角筒状に延びる両端部において開口するように設けられている。周壁３１における高さ方向Ｘ２の両端部の開口のうち、一方の開口はホルダー収納室３９を構成し、他方の開口は接続口４０を構成している。
【００５６】
ホルダー収納室３９は、周壁３１における高さ方向Ｘ２の両端部のうちの一方で開口する開口の内側の領域であって、ホルダーカバー１３がホルダー１１に取り付けられた状態でホルダー１１を収納する領域を構成している。また、ホルダー収納室３９は、周壁３１の内側において、高さ方向Ｘ２における拡幅部３１ａが設けられている部分の内側の領域として設けられている。
【００５７】
接続口４０は、周壁３１における高さ方向Ｘ２の両端部のうちのホルダー収納室３９が開口する端部と反対側の端部で開口するように設けられている。そして、接続口４０は、コネクタ１が相手側コネクタに接続される際に相手側コネクタと嵌合して相手側コネクタに接続される開口を構成している。ホルダーカバー１３がホルダー１１に取り付けられてコネクタ１が組み立てられた状態では、周壁３１内における接続口４０の内側の領域においては、ホルダー１１に保持されたコンタクト１２の相手側接続部２７が露出した状態で配置されている。コネクタ１が周壁３１の接続口４０において相手側コネクタに嵌合して接続された状態では、接続口４０の内側において、相手側コネクタの相手側コンタクトが、コンタクト１２に接触して接続される。
【００５８】
また、周壁３１には、厚み方向Ｘ３において対向する前面及び後面のうちの一方である後面３１ｂにおいて、ホルダー１１に保持されたマグネットワイヤ１００が引き出されるようにして挿通されるワイヤ挿通溝３８が設けられている。ワイヤ挿通溝３８は、複数設けられ、本実施形態では、接続されるマグネットワイヤ１００に対応して３つ設けられている。ワイヤ挿通溝３８は、ホルダーカバー１３がホルダー１１に取り付けられた状態で、各挿入穴２１に対応して設けられた一対のワイヤ端部配置溝２３のうちの一方に対応する位置に設けられている。周壁３１の後面３１ｂにおいてマグネットワイヤ１００が挿通されるワイヤ挿通溝３８が設けられていることで、ホルダーカバー１３がホルダー１１に取り付けられた際に、マグネットワイヤ１００とホルダーカバー１３が干渉することなく、コネクタ１からマグネットワイヤ１００が引き出された状態となる。
【００５９】
内部当接壁３２は、周壁３１の内部に設けられ、高さ方向Ｘ２と垂直な方向に広がる壁部分として設けられている。内部当接壁３２は、周壁３１と一体に設けられており、周壁３１における後面３１ｂの内壁部分と一体に結合した状態で設けられている。内部当接壁３２は、ホルダーカバー１３がホルダー１１に取り付けられた状態で、ホルダー１１における挿入穴２１が開口する側の端面と当接するように、構成されている。また、内部当接壁３２は、周壁３１内の領域をホルダー収納室３９側の領域と接続口４０側の領域とに区画するように設けられている。また、内部当接壁３２には、高さ方向Ｘ２に貫通し、コンタクト１２の相手側接続部２７が挿通される貫通孔３７が複数設けられている。本実施形態では、貫通孔３７は、コンタクト１２に対応して３つ設けられている。ホルダーカバー１３がホルダー１１に取り付けられる際には、ホルダー１１に挿入されたコンタクト１２の相手側接続部２７が、貫通孔３７に挿通される。
【００６０】
仕切り壁３３は、ホルダーカバー１３がホルダー１１に取り付けられた際に、ホルダー１１に挿入された複数のコンタクト１２の間を仕切る壁として設けられている。本実施形態では、コネクタ１において備えられる３つのコンタクト１２の間を仕切るように、２つの仕切り壁３３が設けられている。各仕切り壁３３は、周壁３１の内側において、接続口４０内の領域で高さ方向Ｘ２及び厚み方向Ｘ３に広がるように設けられており、内部当接壁３２から高さ方向Ｘ２に延びるように設けられている。また、仕切り壁３３は、接続口４０内の領域で、隣り合って配置されるコンタクト１２の相手側接続部２７の間を仕切りように配置されている。
【００６１】
折り曲げ部３４は、周壁３１の内側におけるホルダー収納室３９側の領域に配置されている。折り曲げ部３４は、内部当接壁３２と一体に設けられており、内部当接壁３２を介して周壁３１と一体に設けられている。また、折り曲げ部３４は、内部当接壁３２からホルダー収納室３９側に向かって延びるよう設けられている。更に、折り曲げ部３４は、ホルダーカバー１３がホルダー１１に取り付けられる際にワイヤ折り曲げ端部収納溝２４に対して隣接して対応する位置に設けられている。そして、折り曲げ部３４は、ホルダーカバー１３がホルダー１１を収納するようにホルダー１１に押し付けられる際に、ホルダー１１に保持されたマグネットワイヤ１００の端部１００ｃに当接してマグネットワイヤ１００の端部１００ｃを折り曲げるように構成されている。折り曲げ部３４によって折り曲げられたマグネットワイヤ１００の端部１００ｃの先端部分は、ホルダー１１のワイヤ折り曲げ端部収納溝２４に収納される。
【００６２】
コンタクト押圧部３５は、周壁３１の内側に配置され、内部当接壁３２の一部であってホルダー収納室３９側でコンタクト１２を押圧する部分として設けられている。コンタクト押圧部３５は、内部当接壁３２の一部として設けられており、周壁３１及び折り曲げ部３４と一体に設けられている。また、コンタクト押圧部３５は、内部当接壁３２におけるホルダー収納室３９側の面の複数個所の部分として設けられ、ホルダー１１に挿入された各コンタクト１２の各被押圧部２９をそれぞれ押圧する部分として設けられている。そして、コンタクト押圧部３５は、ホルダーカバー１３がホルダー１１を収納するようにホルダー１１に押し付けられる際に、コンタクト１２をホルダー１１に向かって押圧することでコンタクト１２をホルダー１１に挿入するように構成されている。このため、ホルダーカバー１３がホルダー１１に押し付けられて取り付けられる際、ホルダー１１の挿入穴２１に仮挿入状態で挿入されたコンタクト１２は、コンタクト押圧部３５に押圧され、最終挿入状態となるまで挿入穴２１の奥側に挿入される。
【００６３】
係合ロック部３６は、ホルダーカバー１３がホルダー１１に取り付けられる際にホルダー１１の係合凸部２５と係合する部分として設けられている。ホルダーカバー１３がホルダー１１に取り付けられる際に係合ロック部３６が係合凸部２５と係合することで、ホルダーカバー１３がホルダー１１にロックされて固定される。係合ロック部３６は、周壁３１における拡幅部３１ａに設けられており、ホルダーカバー１３の幅方向Ｘ１の両側に設けられている。
【００６４】
係合ロック部３６は、片持ちバネ部３６ａと係合突起３６ｂとを有している。片持ちバネ部３６ａは、拡幅部３１ａにおいて、高さ方向Ｘ２における周壁３１の端部側に向かって片持ち状に延びる板ばね状の部分として設けられている。係合突起３６ｂは、係合凸部２５と係合する部分として設けられている。係合突起３６ｂは、片持ちバネ部３６ａの先端部分に設けられ、周壁３１の内側に向かって突起状に形成された部分として設けられている。ホルダーカバー１３がホルダー１１に押し付けられるようにして取り付けられる際には、係合凸部２５と係合突起３６ｂとが当接することで、片持ちバネ部３６ａが一旦撓む。そして、ホルダーカバー１３がホルダー１１に対して更に押し付けられる際に、係合突起３６ｂが係合凸部２５を乗り越えるようにして変位し、片持ちバネ部３６ａが弾性回復して撓みが戻り、係合凸部２５と係合突起３６ｂとが嵌り合うようにして係合する。係合凸部２５と係合突起３６ｂとが係合することで、ホルダーカバー１３がホルダー１１にロックされて固定される。
【００６５】
［コネクタとマグネットワイヤとの接続動作］
次に、上述したコネクタ１とマグネットワイヤ１００とが接続される際における接続動作について説明する。図８（Ａ）はホルダー１１にマグネットワイヤ１００が保持される前の状態を示す斜視図である。図８（Ｂ）はホルダー１１にマグネットワイヤ１００が保持された状態を示す斜視図である。図８（Ｃ）はホルダー１１にコンタクト１２が挿入される前の状態を示す斜視図である。図８（Ｄ）はホルダー１１にコンタクト１２が挿入された状態を示す斜視図である。図９は、コネクタ１を断面を含む状態で示す斜視図であって、ホルダーカバー１３がホルダー１１に取り付けられる状態を示す図である。図１０は、コネクタ１を断面を含む状態で示す斜視図であって、ホルダーカバー１３がホルダー１１に取り付けられた状態を示す図である。以下、コネクタ１とマグネットワイヤ１００との接続動作について、前述した図１乃至図７とともに、図８乃至図９を参照しつつ説明する。
【００６６】
コネクタ１とマグネットワイヤ１００とが接続される際には、まず、ホルダー１１に対してマグネットワイヤ１００の端部１００ｃが配置される。このとき、図８（Ａ）に示すように、複数のマグネットワイヤ１００の各端部１００ｃが、ホルダー１１における各挿入穴２１に対応する各一対のワイヤ端部配置溝２３の上方に配置される。そして、各マグネットワイヤ１００の端部１００ｃが、図８（Ａ）の矢印Ｄ２で示す方向に沿って移動され、各挿入穴２１に対応する各一対のワイヤ端部配置溝２３に対して挿入されて嵌め込まれる。これにより、図８（Ｂ）に示すように、各マグネットワイヤ１００の端部１００ｃが、各挿入穴２１に対応する各一対のワイヤ端部配置溝２３に嵌め込まれた状態で、ホルダー１１に配置されて保持される。
【００６７】
マグネットワイヤ１００の端部１００ｃがホルダー１１に配置されて保持されると、次いで、複数のコンタクト１２がホルダー１１に対して仮挿入状態で挿入される。このとき、図８（Ｃ）に示すように、各コンタクト１２が、ホルダー１１における各挿入穴２１の上方に配置される。そして、各コンタクト１２の本体部２６が、図８（Ｃ）の矢印Ｄ３で示す方向に沿って移動され、各挿入穴２１に対して挿入される。そして、図８（Ｄ）に示すように、各コンタクト１２の本体部２６が、各挿入穴２１に対して、仮挿入状態で挿入される。即ち、本体部２６の圧入突起３０が挿入穴２１の縁部と係止する位置まで、本体部２６が、挿入穴２１に挿入される。尚、コンタクト１２が挿入穴２１に仮挿入状態で挿入された状態では、コンタクト１２はマグネットワイヤ１００に圧接されておらず、コンタクト１２とマグネットワイヤ１００とはまだ接続されていない。
【００６８】
ホルダー１１にマグネットワイヤ１００の端部１００ｃが配置されてコンタクト１２がホルダー１１に仮挿入状態で挿入された状態となると、次いで、ホルダーカバー１３がホルダー１１に取り付けられる。このとき、まず、図１（Ａ）に示すように、ホルダーカバー１３が、ホルダー１１の上方に配置される。そして、ホルダーカバー１３が、図１（Ａ）の矢印Ｄ１で示す方向に沿って移動されてホルダー１１に押し付けられる。このとき、ホルダーカバー１３は、ホルダー収納室３９側の開口が、ホルダー１１に対して挿入穴２１が設けられている端部側から被さるようにして、ホルダー１１に押し付けられて取り付けられる。
【００６９】
図９に示すコネクタ１の断面を含む斜視図は、ホルダーカバー１３がホルダー１１に取り付けられている途中の状態を示している。図９に示すように、ホルダーカバー１３がホルダー１１に取り付けられる際には、ホルダーカバー１３は、ホルダー収納室３９においてホルダー１１を収納しながら、ホルダー１１に対して押し付けられる。このとき、ホルダー１１の挿入穴２１に仮挿入状態で挿入されたコンタクト１２の相手側接続部２７は、ホルダーカバー１３の内部当接壁３２の貫通孔３７に挿通される。
【００７０】
ホルダーカバー１３がホルダー１１に押し付けられながら取り付けられる際には、図９に示すように、ホルダーカバー１３において周壁３１及び内部当接壁３２と一体に設けられた折り曲げ部３４が、ホルダー１１に保持されたマグネットワイヤ１００の端部１００ｃの先端部分に当接する。そして、ホルダー１１がホルダー収納室３９内に奥側まで収納されるように、ホルダーカバー１３がホルダー１１に押し付けられることで、マグネットワイヤ１００の端部１００ｃに当接した折り曲げ部３４が、マグネットワイヤ１００の端部１００ｃを折り曲げる。図７及び図１０は、ホルダーカバー１３がホルダー１１に最終位置まで押し付けられ、ホルダーカバー１３のホルダー１１への取り付けが完了した状態を示している。図７（ｂ）及び図１０に示すように、ホルダーカバー１３のホルダー１１への取り付けが完了した状態では、折り曲げ部３４によって折り曲げられたマグネットワイヤ１００の端部１００ｃの先端部分は、ホルダー１１のワイヤ折り曲げ端部収納溝２４に嵌め込まれるようにして収納される。
【００７１】
また、ホルダーカバー１３がホルダー１１に押し付けられながら取り付けられる際には、ホルダーカバー１３において内部当接壁３２におけるホルダー収納室３９側の面の複数個所の部分として設けられたコンタクト押圧部３５が、コンタクト１２の本体部２６を押圧する。コンタクト１２の本体部２６は、被押圧部２９においてコンタクト押圧部３５によって押圧され、ホルダー１１の挿入穴２１に最終挿入状態となる奥側の位置まで挿入される（図７（Ｂ）及び図１０を参照）。尚、コンタクト１２の本体部２６が挿入穴２１内に奥側まで挿入された状態では、本体部２６の圧入突起３０が挿入穴２１に係合し、本体部２６は挿入穴２１に圧入されて固定された状態となる。
【００７２】
また、ホルダーカバー１３がホルダー１１に押し付けられながら取り付けられ、押圧されたコンタクト１２の本体部２６が挿入穴２１に奥側まで挿入される際には、コンタクト１２がマグネットワイヤ１００の端部１００ｃに圧接により接続される。即ち、本体部２６が挿入穴２１に奥側まで挿入される際に、コンタクト１２のスリット刃２８が、ワイヤ端部配置溝２３でホルダー１１に保持されたマグネットワイヤ１００の端部１００ｃのエナメル被覆１００ｂを切り破り、マグネットワイヤ１００に食い込む。そして、エナメル被覆１００ｂを切り破ったスリット刃２８は、マグネットワイヤ１００の端部１００ｃの心線１００ａまで食い込み、これにより、コンタクト１２がスリット刃２８においてマグネットワイヤ１００に圧接されて接続される。
【００７３】
また、ホルダーカバー１３がホルダー１１に取り付けられると、ホルダーカバー１３の係合ロック部３６がホルダー１１の係合凸部２５と係合し、ホルダーカバー１３がホルダー１１にロックされて固定される。よって、ホルダーカバー１３のホルダー１１への取り付けが完了した状態では、ホルダー１１がホルダーカバー１３に収納され、コンタクト１２の本体部２６が挿入穴２１に圧入されて挿入され、コンタクト１２がマグネットワイヤ１００の端部１００ｃに圧接により接続され、ホルダーカバー１３とホルダー１１とがロックされた状態となる。ホルダーカバー１３のホルダー１１への取り付けが完了することで、コネクタ１とマグネットワイヤ１００との接続動作が完了することになる。
【００７４】
上述したように、コネクタ１は、ホルダーカバー１３がホルダー１１を収納するようにホルダー１１に押し付けられることで、ホルダーカバー１３がホルダー１１に取り付けられるとともに、コンタクト１２がホルダーカバー１３に押圧されてホルダー１１に挿入され、スリット刃２８がエナメル被覆１００ｂを切り破ってマグネットワイヤ１００に食い込んで、コンタクト１２がマグネットワイヤ１００に圧接されて接続されるように構成されている。
【００７５】
［本実施形態の作用及び効果］
本実施形態のコネクタ１によると、ホルダー１１にマグネットワイヤ１００の端部１００ｃを保持してコンタクト１２をホルダー１１に仮挿入した状態で、ホルダーカバー１３をホルダー１１に押し付けることで、コンタクト１２がホルダーカバー１３に押圧されてホルダー１１に挿入される。そして、このようにコンタクト１２がホルダー１１に挿入されることで、コンタクト１２が、そのスリット刃２８においてマグネットワイヤ１００のエナメル被覆１００ｂを切り破り、マグネットワイヤ１００に食い込み、コンタクト１２がマグネットワイヤ１００に圧接されて接続される。このため、本実施形態によると、マグネットワイヤ１００のエナメル被覆１００ｂを除去する必要もなく、他の電線及びコネクタ１以外の他の部材を介在させることもなく、コネクタ１をマグネットワイヤ１００に直接に圧接によって接続することができる。
【００７６】
また、コネクタ１によると、ホルダー１１にマグネットワイヤ１００の端部１００ｃを保持してコンタクト１２をホルダー１１に仮挿入した状態で、ホルダーカバー１３をホルダー１１に押し付けることで、ホルダーカバー１３がホルダー１１の周囲を覆うようにホルダー１１に取り付けられ、コンタクト１２とマグネットワイヤ１００の端部１００ｃとが接続される。これにより、ホルダーカバー１３がホルダー１１に取り付けられてコンタクト１２とマグネットワイヤ１００の端部１００ｃとが接続された状態では、コンタクト１２及びマグネットワイヤ１００の端部１００ｃがホルダーカバー１３の内側に配置された状態となる。このため、マグネットワイヤ１００の端部１００ｃの破断面の外部への露出を防止できる。
【００７７】
また、コネクタ１によると、ホルダー１１にマグネットワイヤ１００の端部１００ｃを保持してコンタクト１２をホルダー１１に仮挿入した状態で、ホルダーカバー１３をホルダー１１に押し付けて取り付けることで、コンタクト１２をホルダー１１に挿入するとともに、コンタクト１２とマグネットワイヤ１００の端部１００ｃとを圧接により接続することができる。よって、ホルダー１１にマグネットワイヤ１００の端部１００ｃを保持してコンタクト１２をホルダー１１に仮挿入した状態で、ホルダーカバー１３をホルダー１１に押し付けて取り付ける操作を行うだけで、容易に、コンタクト１２とマグネットワイヤ１００の端部１００ｃとを圧接により接続することができる。従って、コネクタ１によると、接続作業の作業性を向上させることができる。
【００７８】
また、コンタクト１２とマグネットワイヤ１００の端部１００ｃとが接続された状態では、マグネットワイヤ１００の端部１００ｃはホルダーカバー１３の内側に配置された状態となる。このため、マグネットワイヤ１００の端部１００ｃがコネクタ１からはみ出した状態となることがなく、はみ出したマグネットワイヤ１００の端部１００ｃを切断するための切断刃を備えた専用の治具を用いた切断作業はそもそも不要となる。従って、コネクタ１によると、マグネットワイヤ１００の端部１００ｃの切断用の切断刃を備えた専用の治具による切断作業が不要となる点においても、接続作業の作業性の向上を図ることができる。
【００７９】
従って、本実施形態によると、マグネットワイヤ１００に直接に圧接によって接続することができ、マグネットワイヤ１００の端部１００ｃの破断面の外部への露出を防止でき、更に、接続作業の作業性を向上させることができる、コネクタ１を提供することができる。
【００８０】
また、コネクタ１によると、ホルダーカバー１３をホルダー１１に押し付けて取り付けた際に、ホルダーカバー１３の内側で、ホルダー１１に保持されたマグネットワイヤ１００の端部１００ｃが折り曲げられる。このため、ホルダーカバー１３の内部において、コンタクト１２に接続されたマグネットワイヤ１００の端部１００ｃをコンパクトに安定した状態で収納することができる。これにより、コネクタ１のコンパクト化を図ることができる。また、コンタクト１２が複数備えられるコネクタ１においては、ホルダーカバー１３内において、マグネットワイヤ１００の端部１００ｃが安定した状態で収納されるため、短絡が発生してしまうことを、より確実に抑制することができる。即ち、マグネットワイヤ１００の端部１００ｃが安定した状態で収納されるため、マグネットワイヤ１００の端部１００ｃの破断面が、そのマグネットワイヤ１００が接続されているコンタクト１２に隣接するコンタクト１２に接触してしまい、短絡が発生してしまうことを、より確実に抑制することができる。
【００８１】
また、コネクタ１によると、コネクタ１がマグネットワイヤ１００に接続された状態では、複数のコンタクト１２の間が、ホルダーカバー１３の仕切り壁３３によって仕切られる。このため、隣接するコンタクト１２間において、絶縁体の表面に沿った最短距離である沿面距離を、絶縁体であるホルダーカバー１３の仕切り壁３３の表面を経由させることでより長く確保することができる。これにより、隣接するコンタクト１２間における短絡の発生の可能性をより低減し、電気的な接続安定性をより向上させることができる。
【００８２】
また、コネクタ１によると、コネクタ１がマグネットワイヤ１００に接続された状態では、複数のコンタクト１２の間が、ホルダー１１の壁部２２によって仕切られる。このため、隣接するコンタクト１２間において、絶縁体の表面に沿った最短距離である沿面距離を、絶縁体であるホルダー１１の壁部２２の表面を経由させることでより長く確保することができる。これにより、隣接するコンタクト１２間における短絡の発生の可能性をより低減し、電気的な接続安定性をより向上させることができる。
【００８３】
また、コネクタ１によると、マグネットワイヤ１００の端部１００ｃに当接してその端部１００ｃを折り曲げる折り曲げ部３４が、ホルダー１１の周囲を覆う角筒状の周壁３１の内側においてその周壁３１と一体に設けられる。このため、ホルダーカバー１３をホルダー１１に押し付けて取り付ける際にマグネットワイヤ１００の端部１００ｃを折り曲げる構成を、ホルダーカバー１３の内側に一体の折り曲げ部３４を設けた簡素な構造で構成することができる。
【００８４】
また、コネクタ１によると、コンタクト１２をホルダー１１に向かって押圧してコンタクト１２をホルダー１１に挿入するコンタクト押圧部３５が、ホルダーカバー１３の周壁３１の内側において周壁３１及び折り曲げ部３４と一体に設けられる。このため、ホルダーカバー１３をホルダー１１に押し付けて取り付ける際にコンタクト１２を押圧してホルダー１１に挿入する構成を、ホルダーカバー１３の内側に折り曲げ部３４と一体のコンタクト押圧部３５を設けた簡素な構造で構成することができる。
【００８５】
［変形例］
以上、本発明の実施形態について説明したが、本発明は上述の実施の形態に限られるものではなく、特許請求の範囲に記載した限りにおいて様々な変更が可能なものである。例えば、次のように変更して実施してもよい。
【００８６】
（１）前述の実施形態では、コンタクトが複数備えられたコネクタの形態を例にとって説明したが、この通りでなくてもよい。１つのコンタクトを有するコネクタの形態が実施されてもよい。また、コンタクトが複数備えられたコネクタの場合であっても、コンタクトの数は前述の実施形態で例示した３つに限られなくてもよく、コンタクトが２つ又は４つ以上備えられたコネクタの形態が実施されてもよい。
【００８７】
（２）前述の実施形態では、ホルダーカバーがホルダーに押し付けられた際にホルダーに保持されたマグネットワイヤの端部が折り曲げられる形態を例にとって説明したが、この通りでなくてもよい。ホルダーカバーがホルダーに押し付けられた際にホルダーに保持されたマグネットワイヤの端部が折り曲げられない形態が実施されてもよい。
【００８８】
（３）前述の実施形態では、コンタクトにおいてスリット刃が一対で設けられた形態を例にとって説明したが、この通りでなくてもよい。スリット刃が１つ又は３つ以上設けられたコンタクトを備えたコネクタの形態が実施されてもよい。
【産業上の利用可能性】
【００８９】
本発明は、心線とその周囲のエナメル被覆とを含む電線として構成されたマグネットワイヤに対して接続されるコネクタとして、広く適用することができるものである。
【符号の説明】
【００９０】
１              コネクタ
１１            ホルダー
１２            コンタクト
１３            ホルダーカバー
２８            スリット刃
３１            周壁
３３            仕切り壁
３４            折り曲げ部
３５            コンタクト押圧部
１００          マグネットワイヤ
１００ａ        心線
１００ｂ        エナメル被覆
１００ｃ        マグネットワイヤの端部
【図１】
2020167058.tif 000003
【図２】
2020167058.tif 000004
【図３】
2020167058.tif 000005
【図４】
2020167058.tif 000006
【図５】
2020167058.tif 000007
【図６】
2020167058.tif 000008
【図７】
2020167058.tif 000009
【図８】
2020167058.tif 000010
【図９】
2020167058.tif 000011
【図１０】
2020167058.tif 000012